(57)【要約】      （修正有）【課題】フィルタの変形を抑制することができる浴室換気装置を提供する。【解決手段】浴室の空気が吸い込まれる吸気口１３１と、前記吸気口１３１に連通する流路上に設けられ、前記吸気口１３１から前記流路に前記空気を吸い込むファン１２１と、前記吸気口に設けられるフィルタ１１０と、を備えた浴室換気装置１であって、前記フィルタ１１０は、前記ファン１２１の回転中心部分と前記フィルタ１１０との間の距離が、前記ファン１２１の外周部分と前記フィルタ１１０との間の距離よりも長くなるように、湾曲されることを特徴とする。【選択図】図２
2017180923.tif 000002
【特許請求の範囲】
【請求項１】
浴室の空気が吸い込まれる吸気口と、
前記吸気口に連通する流路上に設けられ、前記吸気口から前記流路に空気を吸い込む送風部と、
前記吸気口に設けられるフィルタと、
を備えた浴室換気装置であって、
前記フィルタは、前記送風部の回転中心部分と前記フィルタとの間の距離が、前記送風部の外周部分と前記フィルタとの間の距離よりも長くなるように、湾曲されることを特徴とする浴室換気装置。
【請求項２】
前記フィルタの幅は、前記吸気口の幅よりも広いことを特徴とする請求項１記載の浴室換気装置。
【請求項３】
前記フィルタは、第１方向にスライドさせて前記吸気口に取り付けられ、
前記第１方向に対して垂直な第２方向における前記フィルタの剛性は、前記第１方向における前記フィルタの剛性よりも大きいことを特徴とする請求項１または２に記載の浴室換気装置。
【請求項４】
前記フィルタは、外枠と、前記外枠の内側に設けられたメッシュと、を有し、
前記外枠は、前記第１方向に延びる第１枠部と、前記第２方向に延びる第２枠部と、を有し、
前記第２枠部の幅は、前記第１枠部の幅よりも広いことを特徴とする請求項３記載の浴室換気装置。
【請求項５】
前記フィルタは、外枠と、前記外枠の内側に設けられたメッシュと、を有し、
前記外枠は、前記第１方向に延びる第１枠部と、前記第２方向に延びる第２枠部と、を有し、
前記第２枠部の少なくとも一部の厚みは、前記第１枠部の厚みよりも厚いことを特徴とする請求項３記載の浴室換気装置。
【請求項６】
前記吸気口は、レールを有し、
前記フィルタは、前記第１方向にスライドさせて前記レールに挿入され、
前記レールは、前記第１方向における中心部が、前記第１方向における端部よりも前記浴室側に位置するように湾曲し、
前記フィルタは、前記レールに挿入されることで、湾曲されることを特徴とする請求項３〜５のいずれか１つに記載の浴室換気装置。
【請求項７】
前記送風部の前記回転中心部分の下方に設けられたパネルをさらに備え、
前記フィルタの少なくとも一部は、前記送風部と前記パネルとの間に位置することを特徴とする請求項１〜６のいずれか１つに記載の浴室換気装置。
【発明の詳細な説明】
【技術分野】
【０００１】
本発明の態様は、一般的に、浴室換気装置に関する。
【背景技術】
【０００２】
浴室換気装置では、特許文献１に開示されているように、内部への埃の吸い込みを防止するため、フィルタが設けられる場合がある。
【先行技術文献】
【特許文献】
【０００３】
【特許文献１】特開２００４−１５０７１７号公報
【発明の概要】
【発明が解決しようとする課題】
【０００４】
フィルタは、浴室換気装置内部に吸い込まれる空気に含まれる埃を捕捉するために、浴室換気装置の吸気口の近傍に設けられる。浴室換気装置のファンが吸気動作を開始すると、フィルタのファン側の圧力は、フィルタの浴室側の圧力よりも低くなる。
このとき、フィルタに埃が堆積していると、フィルタを通過する空気の圧力損失が大きくなる。フィルタを通過する空気の圧力損失が大きくなると、フィルタのファン側と、フィルタの浴室側と、の間の圧力差が大きくなり、圧力差によってフィルタが変形する。フィルタが変形すると、フィルタの周りに隙間が生じ、フィルタを介さずに浴室換気装置内部に流入する埃が増加することがある。また、フィルタが変形すると、空気の流路が狭窄され、空気の圧力損失がさらに大きくなって流量が低下することもありうる。
本発明は、かかる課題の認識に基づいてなされたものであり、フィルタの変形を抑制することができる浴室換気装置を提供することを目的とする。
【課題を解決するための手段】
【０００５】
第１の発明は、浴室の空気が吸い込まれる吸気口と、前記吸気口に連通する流路上に設けられ、前記吸気口から前記流路に前記空気を吸い込む送風部と、前記吸気口に設けられるフィルタと、を備えた浴室換気装置であって、前記フィルタは、前記送風部の回転中心部分と前記フィルタとの間の距離が、前記送風部の外周部分と前記フィルタとの間の距離よりも長くなるように、湾曲されることを特徴とする浴室換気装置である。
【０００６】
この浴室換気装置によれば、フィルタに埃が堆積し、フィルタに吸気の圧力が加わった場合でも、フィルタの変形を抑制することが可能である。このため、フィルタの変形によって浴室換気装置内部への埃の流入が増加することを抑制できるとともに、送風部への空気の流量の低下を抑制することが可能となる。
【０００７】
第２の発明は、第１の発明において、前記フィルタの幅は、前記吸気口の幅よりも広いことを特徴とする浴室換気装置である。
【０００８】
この浴室換気装置によれば、フィルタを湾曲させた場合であっても、フィルタによって吸気口を覆うことができ、浴室換気装置の内部への埃の流入を抑制することができる。
【０００９】
第３の発明は、第１または第２の発明において、前記フィルタは、第１方向にスライドさせて前記吸気口に取り付けられ、前記第１方向に対して垂直な第２方向における前記フィルタの剛性は、前記第１方向における前記フィルタの剛性よりも大きいことを特徴とする浴室換気装置である。
【００１０】
この浴室換気装置によれば、フィルタをスライドさせて第１方向に湾曲させた場合に、フィルタが第２方向に湾曲して脱落してしまう可能性を低減することができる。
【００１１】
第４の発明は、第３の発明において、前記フィルタは、外枠と、前記外枠の内側に設けられたメッシュと、を有し、前記外枠は、前記第１方向に延びる第１枠部と、前記第２方向に延びる第２枠部と、を有し、前記第２枠部の幅は、前記第１枠部の幅よりも広いことを特徴とする浴室換気装置である。
【００１２】
第２枠部の幅を第１枠部の幅よりも広くすることで、第２方向におけるフィルタの剛性を、第１方向におけるフィルタの剛性よりも大きくすることができる。従って、この浴室換気装置によれば、フィルタをスライドさせて第１方向に湾曲させた場合に、フィルタが第２方向に湾曲して脱落してしまう可能性を低減することができる。
【００１３】
第５の発明は、第３の発明において、前記フィルタは、外枠と、前記外枠の内側に設けられたメッシュと、を有し、前記外枠は、前記第１方向に延びる第１枠部と、前記第２方向に延びる第２枠部と、を有し、前記第２枠部の少なくとも一部の厚みは、前記第１枠部の厚みよりも厚いことを特徴とする浴室換気装置である。
【００１４】
第２枠部の少なくとも一部の厚みを第１枠部の厚みよりも厚くすることで、第２方向におけるフィルタの剛性を、第１方向におけるフィルタの剛性よりも大きくすることができる。従って、この浴室換気装置によれば、フィルタをスライドさせて第１方向に湾曲させた場合に、フィルタが第２方向に湾曲して脱落してしまう可能性を低減することができる。
【００１５】
第６の発明は、第３〜第５のいずれかの発明において、前記吸気口は、レールを有し、前記フィルタは、前記第１方向にスライドさせて前記レールに挿入され、前記レールは、前記第１方向における中心部が、前記第１方向における端部よりも前記浴室側に位置するように湾曲し、前記フィルタは、前記レールに挿入されることで、湾曲されることを特徴とする浴室換気装置である。
【００１６】
この浴室換気装置によれば、レールに挿入することでフィルタを湾曲させることができるとともに、フィルタを、容易に所望の形状に湾曲させることが可能となる。
【００１７】
第７の発明は、第１〜第６のいずれかの発明において、前記送風部の前記回転中心部分の下方に設けられたパネルをさらに備え、前記フィルタの少なくとも一部は、前記送風部と前記パネルとの間に位置することを特徴とする浴室換気装置である。
【００１８】
この浴室換気装置によれば、フィルタのうち、送風部の回転中心部分の下方に位置する部分に溜まった水滴が、浴室に滴下することを抑制できる。
【発明の効果】
【００１９】
本発明の態様によれば、フィルタの変形を抑制することができる浴室換気装置が提供される。
【図面の簡単な説明】
【００２０】
【図１】浴室に取り付けられた実施形態に係る浴室換気装置の構成を表す概略図である。
【図２】実施形態に係る浴室換気装置を表す断面図である。
【図３】実施形態に係る浴室換気装置を表す断面図である。
【図４】図２のＡ−Ａ線における断面を表す断面図である。
【図５】実施形態に係る浴室換気装置が有するフィルタの底面を表す斜視図である。
【図６】（ａ）実施形態に係る浴室換気装置が有するフィルタの平面図である。（ｂ）実施形態に係る浴室換気装置が有するフィルタの右側面図である。
【図７】実施形態に係る浴室換気装置が有するフィルタの一部とレールの一部を表す拡大平面図である。
【図８】（ａ）実施形態に係る浴室換気装置が有するフィルタの底面を表す斜視図である。（ｂ）実施形態に係る浴室換気装置が有するフィルタの右側面図である。
【図９】（ａ）実施形態に係る浴室換気装置が有するフィルタの底面を表す斜視図である。（ｂ）実施形態に係る浴室換気装置が有するフィルタの右側面図である。
【発明を実施するための形態】
【００２１】
以下、本発明の実施形態について図面を参照しつつ説明する。なお、各図面中、同様の構成要素には同一の符号を付して詳細な説明は適宜省略する。
図１は、浴室に取り付けられた実施形態に係る浴室換気装置１の構成を表す概略図である。
図２および図３は、実施形態に係る浴室換気装置１を表す断面図である。
図４は、図２のＡ−Ａ線における断面を表す断面図である。
なお、図３では、フィルタ１１０が省略されている。
【００２２】
浴室換気装置１は、浴室ＢＲの天井に取り付けられる。
浴室ＢＲから吸い込まれた空気は、例えば図１に表すように、フィルタ１１０、吸気口１３１、ファン１２１、ヒータ１２３、吹出口１３３、およびルーバ１２５を通り、再び浴室ＢＲに流れる。あるいは、吸気口１３１から吸い込まれた空気の少なくとも一部が、不図示の換気口を通して浴室ＢＲの外に排出されてもよい。
【００２３】
フィルタ１１０は、吸気口１３１に流れ込む空気から、埃などを除去するために、吸気口１３１に設けられている。
ファン１２１は、吸気口１３１と吹出口１３３とを連通する風路上に設けられている。ファン１２１が動作することで、浴室ＢＲの空気が吸気口１３１から吸い込まれ、吹出口１３３に向けて送られる。このとき、ヒータ１２３に通電することで、吹出口１３３に向けて送られた空気が加熱され、温風がルーバ１２５を通して浴室ＢＲに向けて吹き出される。
【００２４】
制御部１０７は、ＣＰＵやメモリなどを適宜有する。制御部１０７は、例えば、不図示のリモコンから入力された情報などに基づいて、ファン１２１のオン・オフやヒータ１２３のオン・オフ、ルーバ１２５の動作などを制御する。
【００２５】
図２および図３に表すように、スクロール１０３およびベルマウス１０５は、ケーシング１０１の内側に設けられている。
パネル１２７は、ケーシング１０１の下方に設けられ、スクロール１０３およびベルマウス１０５を下方から覆っている。
【００２６】
ベルマウス１０５の上部開口は、スクロール１０３の内部空間と繋がっている。また、ベルマウス１０５の下部開口は、吸気口１３１と繋がっている。
ファン１２１は、スクロール１０３の外側に設けられたモータ１２１ａと、スクロール１０３の内側に設けられた羽根１２１ｂと、を有する。モータ１２１ａによって羽根１２１ｂを回転させることで、吸気口１３１を通して、スクロール１０３の内部に浴室ＢＲの空気が吸い込まれる。このとき、浴室ＢＲの空気は、図２の矢印で表すように、パネル１２７の外周から、ケーシング１０１とパネル１２７との隙間を通して吸い込まれる。
【００２７】
パネル１２７の上には、レール１２９が設けられている。フィルタ１１０をレール１２９にスライドして挿入することで、吸気口１３１にフィルタ１１０が設けられる。浴室ＢＲから吸い込まれた空気は、このフィルタ１１０を通してスクロール１０３の内部に流れる。
以降では、ファン１２１の回転軸方向であって、フィルタ１１０からファン１２１に向かう方向を「上」とし、「上」と反対の方向を「下」とする。また、フィルタ１１０をレール１２９に挿入する際に、フィルタ１１０をスライドさせる方向を「前」とし、「前」と反対の方向を「後」とする。そして、上下方向および前後方向に対して垂直な方向を、左右方向とする。
【００２８】
フィルタ１１０は、レール１２９に取り付けられてない状態では、平板状である。
一方で、レール１２９は、図３に表すように、下方に向けて凸に湾曲している。すなわち、レール１２９の前後方向における中心部分は、レール１２９の前端部および後端部よりも、浴室ＢＲ側に位置している。
このため、フィルタ１１０がレール１２９に挿入された状態では、フィルタ１１０は下方に向けて凸に湾曲しており、ファン１２１の回転中心部分とフィルタ１１０との間の距離は、ファン１２１の外周部分とフィルタ１１０との間の距離よりも長い。より具体的には、羽根１２１ｂの下端を含む仮想面ＩＰと、フィルタ１１０と、の間の、ファン１２１の回転軸上における上下方向の距離Ｄ１が、ファン１２１の外周部分における上下方向の距離Ｄ２よりも長くなるように、フィルタ１１０が湾曲している。
【００２９】
図３および図４に表すように、レール１２９は、ケーシング１０１に固定されている。レール１２９は、前後方向に延び、フィルタ１１０が摺動可能に構成されている。
その他に、パネル１２７には、図４に表すように、例えばルーバ１２５が設けられている。ルーバ１２５は、吹出口１３３が浴室ＢＲの使用者から見えにくくなるように、吹出口１３３を覆っている。ルーバ１２５は、例えば電動式である。浴室ＢＲの使用者は、不図示のリモコンなどによって、ルーバ１２５の羽根の傾き等を調整し、風向を制御することができる。または、ルーバ１２５は、羽根が固定された固定式のものであってもよい。
【００３０】
次に、図５および図６を参照して、フィルタ１１０の具体的な構造について説明する。
図５は、実施形態に係る浴室換気装置１が有するフィルタ１１０の底面を表す斜視図である。
図６（ａ）は、フィルタ１１０の平面図であり、図６（ｂ）は、フィルタ１１０の右側面図である。
図７は、フィルタ１１０の一部とレール１２９の一部を表す拡大平面図である。
【００３１】
図５および図６に表すように、フィルタ１１０は、外枠１１１、支持部１１２、メッシュ１１３、つまみ１１４、突出部１１５、窪み１１６、および突起１１７を有する。
【００３２】
外枠１１１は、フィルタ１１０の外周に設けられている。
外枠１１１は、前後方向に延びる第１枠部１１１ａと、左右方向に延びる第２枠部１１１ｂと、を有する。第２枠部１１１ｂの幅（前後方向の寸法）Ｗ２は、第１枠部１１１ａの幅（左右方向の寸法）Ｗ１よりも広い。
【００３３】
支持部１１２は、外枠１１１の内側に設けられている。支持部１１２は、外枠１１１と同様に、前後方向に延びる部分と左右方向に延びる部分を有する。
メッシュ１１３は、通気可能に構成されており、外枠１１１および支持部１１２によって囲まれた領域に設けられている。
【００３４】
つまみ１１４は、フィルタ１１０の後端部に設けられている。つまみ１１４は、フィルタ１１０をレール１２９に対して挿入および抜去する際に、使用者がつまむ部分である。
突出部１１５は、フィルタ１１０の上方に向けて突出した部分である。突出部１１５は、フィルタ１１０の後端部に設けられている。突出部１１５は、図２に表すように、フィルタ１１０をレール１２９に挿入した状態において、ケーシング１０１に当接する。突出部１１５がケーシング１０１に当接することで、フィルタ１１０の後端が下方に向けて変形し、つまみ１１４が下方（浴室ＢＲ側）を向く。これにより、使用者がつまみ１１４をつまみやすくなり、レール１２９に挿入されたフィルタ１１０の抜去が容易となる。
【００３５】
窪み１１６は、例えば、フィルタ１１０前端部の側方に形成されている。窪み１１６は、フィルタ１１０の内側に向けて窪んでいる。
図３および図７に表すように、レール１２９には、上方に向けて突き出た突起１２９ａが形成されている。図７に表すように、フィルタ１１０をレール１２９の奥まで挿入することで、突起１２９ａが窪み１１６と嵌合する。これにより、レール１２９に挿入されたフィルタ１１０が、意図せずに抜けることを抑制できる。また、使用者がフィルタ１１０をレール１２９に挿入する際に、窪み１１６と突起１２９ａとが嵌合した際の感触により、フィルタ１１０がレール１２９に適切に挿入されたことを認識することができる。
【００３６】
突起１１７は、フィルタ１１０の前端部に設けられ、突出部１１５と反対の方向（下方）に向けて突き出ている。浴室換気装置１は浴室ＢＲの天井に設けられているため、使用者がフィルタ１１０をレール１２９に挿入する際、フィルタ１１０には、前方に加えて上方にも力が加わる傾向にある。フィルタ１１０の前端部に突起１１７を設けることで、使用者がフィルタ１１０の上下を反転させてレール１２９に取り付けようとした際に、突起１１７がレール１２９に引っかかることで、フィルタ１１０の上下が反転していることを使用者に認識させることができる。
【００３７】
本実施形態による作用および効果について説明する。
本実施形態に係る浴室換気装置１では、フィルタ１１０は、ファン１２１の回転中心部分とフィルタ１１０との間の距離Ｄ１が、ファン１２１の外周部分とフィルタ１１０との間の距離Ｄ２よりも長くなるように、湾曲されている。すなわち、フィルタ１１０が下方に向けて凸に湾曲している。
このような構造によれば、フィルタ１１０に埃が堆積し、フィルタ１１０に上向きの力（圧力）が加わった場合でも、フィルタ１１０が下方に向けて凸に湾曲しているため、フィルタ１１０の変形が抑制される。このため、フィルタ１１０の変形によって、フィルタ１１０の周りに隙間が生じて浴室換気装置１内部への埃の流入が増加することを抑制できるとともに、ファン１２１への空気の流量の低下を抑制することが可能となる。
【００３８】
また、本実施形態に係る浴室換気装置１では、図６に表すフィルタ１１０の幅（前後方向における長さ）Ｗ４が、図３に表す吸気口１３１の幅（前後方向における長さ）Ｗ３よりも広い。このため、フィルタ１１０を下方に向けて凸に湾曲させた場合であっても、フィルタ１１０によって吸気口１３１を覆うことができ、浴室換気装置１内部への埃の流入を抑制することができる。
【００３９】
フィルタ１１０およびレール１２９は、図２および図３に表すように、前後方向（レール１２９に対するフィルタ１１０のスライド方向）において湾曲している。このとき、左右方向（第２方向）におけるフィルタ１１０の剛性は、前後方向（第１方向）におけるフィルタ１１０の剛性よりも大きいことが望ましい。すなわち、フィルタ１１０は、前後方向においては下方に凸に湾曲し易く、左右方向においては湾曲し難いことが望ましい。
こうすることで、フィルタ１１０をレール１２９に挿入して前後方向に湾曲させた場合に、フィルタ１１０が左右方向に湾曲してレール１２９から脱落する可能性を低減することができる。
【００４０】
一例として、左右方向に延びる第２枠部１１１ｂの幅Ｗ２を、前後方向に延びる第１枠部１１１ａの幅Ｗ１よりも広くすることで、左右方向におけるフィルタ１１０の剛性を、前後方向におけるフィルタ１１０の剛性よりも大きくすることができる。
または、図８および図９に表すように、フィルタ１１０にリブ１１８を設けることで、左右方向におけるフィルタ１１０の剛性を、前後方向におけるフィルタ１１０の剛性より大きくすることも可能である。
【００４１】
図８（ａ）は、フィルタ１１０の底面を表す斜視図であり、図８（ｂ）は、フィルタ１１０の右側面図である。
図９（ａ）は、フィルタ１１０の底面を表す斜視図であり、図９（ｂ）は、フィルタ１１０の右側面図である。
【００４２】
リブ１１８は、左右方向に延び、第２枠部１１１ｂに設けられている。リブ１１８は、突起１１７と同様に下方に向けて突き出ている。第２枠部１１１ｂのうちリブ１１８が形成された部分の厚みは、第１枠部１１１ａの厚みよりも厚い。リブ１１８の形状や幅などは任意である。例えば、図８に表すように、細い線状のリブ１１８が設けられていても良いし、図９に表すように、三角状のリブ１１８が設けられていてもよい。
リブ１１８を設けることで、左右方向におけるフィルタ１１０の剛性を、前後方向におけるフィルタ１１０の剛性よりも大きくすることができる。
また、幅Ｗ２を幅Ｗ１よりも広くし、かつリブ１１８を設けることで、左右方向におけるフィルタ１１０の剛性を、前後方向におけるフィルタ１１０の剛性よりもさらに大きくすることが可能である。
【００４３】
本実施形態では、フィルタ１１０は、下方に向けて凸に湾曲したレール１２９に挿入されることで、湾曲されている。この例に限らず、フィルタ１１０は、レール１２９に挿入されていない状態で、下方に向けて凸に湾曲していてもよい。
ただし、レール１２９に挿入することでフィルタ１１０が湾曲される場合、フィルタ１１０を、容易に所望の形状に湾曲させることが可能となる。また、この場合、フィルタ１１０を平板状に構成することができ、フィルタ１１０の清掃性等を向上させることも可能である。
【００４４】
また、フィルタ１１０には、浴室ＢＲの蒸気によって結露が生じる場合がある。フィルタ１１０で結露が生じると、水滴は、フィルタ１１０の凸部（フィルタ１１０のうちファン１２１の回転軸上に位置する部分）に集まる。
本実施形態では、フィルタ１１０の下にパネル１２７が設けられている。すなわち、フィルタ１１０の凸部が、ファン１２１とパネル１２７との間に設けられている。
このように、少なくともフィルタ１１０の凸部の下にパネル１２７を設けることで、フィルタ１１０の凸部に集まった水滴が浴室ＢＲに滴下することを抑制できる。
【００４５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室換気装置１が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４６】
１ 浴室換気装置、  １０１ ケーシング、  １０３ スクロール、  １０５ ベルマウス、  １０７ 制御部、  １１０ フィルタ、  １１１ 外枠、  １１１ａ 第１枠部、  １１１ｂ 第２枠部、  １１２ 支持部、  １１３ メッシュ、  １１４ つまみ、  １１５ 突出部、  １１６ 窪み、  １１７ 突起、  １１８ リブ、  １２１ ファン、  １２１ａ モータ、  １２１ｂ 羽根、  １２３ ヒータ、  １２５ ルーバ、  １２７ パネル、  １２９ レール、  １２９ａ 突起、  １３１ 吸気口、  １３３ 吹出口、  ＢＲ 浴室
【図１】
2017180923.tif 000003
【図２】
2017180923.tif 000004
【図３】
2017180923.tif 000005
【図４】
2017180923.tif 000006
【図５】
2017180923.tif 000007
【図６】
2017180923.tif 000008
【図７】
2017180923.tif 000009
【図８】
2017180923.tif 000010
【図９】
2017180923.tif 000011